(57)【要約】      （修正有）【課題】持ち運び易く、必要な時に自在に取り出して使用することができるレジ袋パックを提供する。【解決手段】衣服のポケットに入る程度の大きさの扁平形状からなる収納パック１０と、収納パック内に折り畳んで収納された２枚以上のレジ袋２０とを備えたポケット収納式レジ袋パック１００であって、収納パックは、容易に断裂可能なミシン目を備え、ミシン目を断裂させることによりレジ袋を取り出すためのスリット状の取り出し口１５が形成され、レジ袋は、厚さ０．０５ｍｍ以下の柔軟性を有するフィルム素材からなり、上部を開口させた袋本体と、袋本体と一体的に形成された一対の提げ紐とを有し、折り畳まれた２枚以上のレジ袋が、収納パック内に積層するように配置され、取り出し口から１枚ずつ順に取り出し可能である。【選択図】図２
0003230546.tif 000002
【実用新案登録請求の範囲】
【請求項１】
衣服のポケットに入る程度の大きさの扁平形状からなる収納パックと、前記収納パック内に折り畳んで収納された２枚以上のレジ袋とを備えたポケット収納式レジ袋パックにおいて、
前記収納パックは、容易に断裂可能なミシン目を備え、前記ミシン目を断裂させることにより前記レジ袋を取り出すためのスリット状の取り出し口が形成され、
前記レジ袋が、厚さ０．０５ｍｍ以下の柔軟性を有するフィルム素材からなり、上部を開口させた袋本体と、前記袋本体と一体的に形成された一対の提げ紐とを有し、
折り畳まれた２枚以上の前記レジ袋が、前記収納パック内に積層するように配置され、前記取り出し口から１枚ずつ順に取り出し可能であることを特徴とするポケット収納式レジ袋パック。
【請求項２】
前記レジ袋が、前記提げ紐を前記袋本体で挟み込み、前記提げ紐が露出しないように蛇腹折りに折り畳まれ、前記取り出し口から前記袋本体を引き出すように取り出されることを特徴とする請求項１に記載のポケット収納式レジ袋パック。
【考案の詳細な説明】
【技術分野】
【０００１】
本考案は、ポケット収納式レジ袋パックに係り、さらに詳しくは、衣服のポケットに入る程度の大きさの収納パック内に２枚以上のレジ袋を折り畳んで収納した携帯型レジ袋パックに関する。
【背景技術】
【０００２】
一般に、スーパーマーケットなどの物販店舗では、プラスチックフィルム製の簡易買物袋を顧客に提供している。このような簡易買物袋は、商品清算時に提供されることが多いことからレジ袋と呼ばれている。一般的なレジ袋は、ポリエチレン、ポリオレフィン等の合成樹脂シートを袋体に加工して形成される。これらの樹脂材料は、安価に入手することができるとともに、丈夫であることから、厚さ０．０５ｍ以下の薄いシート形状に加工して使用される。このようなレジ袋は、軽量かつ安価であり、使い捨ての買い物袋として広く普及している。
【０００３】
しかし、容器包装リサイクル法の関連省令の改正により、レジ袋の有料化が義務づけられたことを契機として、多くの顧客が、エコバッグ（登録商標）と呼ばれる買物袋を持参するようになった。エコバッグは、ポリエステルからなる厚いシートを使用した耐久性を有するものが多く、繰り返し使用することができるが、その重量や折り畳んだときの容量は、レジ袋に比べ遥かに大きいという問題があった。
【０００４】
そこで、顧客が自らレジ袋を用意し、店舗へ持参するという利用形態も考えられる。レジ袋は、小さく折り畳むことができ、ポケットなどに収納することができることから、エコバッグに比べて携帯性に優れている。しかし、レジ袋は、極めて薄く、かつ、柔軟性に富む材料を使用していることから、持ち運び時に皺になり易く、必要なときにポケットやカバンから自在に取り出し、大きく広げて買い物袋として使用することが難しい場合があった。
【考案の概要】
【考案が解決しようとする課題】
【０００５】
本考案は、上記の事情に鑑みてなされたものであり、持ち運び易く、必要な時にレジ袋を自在に取り出すことができるポケット収納式レジ袋パックを提供することを目的とする。特に、２枚以上のレジ袋を衣服のポケットに入れて持ち運ぶことができ、必要な時に１枚ずつ容易に取り出すことができるポケット収納式レジ袋パックを提供することを目的とする。また、取り出した買物袋を簡単に広げて使用することができるポケット収納式レジ袋パックを提供することを目的とする。
【課題を解決するための手段】
【０００６】
本考案の第１の態様によるポケット収納式レジ袋パックは、衣服のポケットに入る程度の大きさの扁平形状からなる収納パックと、前記収納パック内に折り畳んで収納された２枚以上のレジ袋とを備えたポケット収納式レジ袋パックにおいて、前記収納パックは、容易に断裂可能なミシン目を備え、前記ミシン目を断裂させることにより前記レジ袋を取り出すためのスリット状の取り出し口が形成され、前記レジ袋が、厚さ０．０５ｍｍ以下の柔軟性を有するフィルム素材からなり、上部を開口させた袋本体と、前記袋本体と一体的に形成された一対の提げ紐とを有し、折り畳まれた２枚以上の前記レジ袋が、前記収納パック内に積層するように配置され、前記取り出し口から１枚ずつ順に取り出し可能であるように構成される。
【０００７】
この様な構成を採用することにより、２枚以上のレジ袋を収納パックに収納し、衣服のポケット等に入れて容易に持ち運ぶことができる。また、買い物を行って買い物袋が必要になった場合に、収納パックから１枚のレジ袋のみを容易に取り出して使用することができる。
【０００８】
本考案の第２の態様によるポケット収納式レジ袋パックは、上記構成に加えて、前記レジ袋が、前記提げ紐を前記袋本体で挟み込み、前記提げ紐が露出しないように蛇腹折りに折り畳まれ、前記取り出し口から前記袋本体を引き出すように取り出し可能に構成される。
【０００９】
このような構成を採用することにより、収納パックからレジ袋を容易に取り出すことができるとともに、取り出したレジ袋を容易に広げることができ、買い物袋として迅速に使用することができる。
【考案の効果】
【００１０】
本考案によれば、持ち運び易く、必要な時にレジ袋を自在に取り出すことができるポケット収納式レジ袋パックを提供することができる。特に、２枚以上のレジ袋を衣服のポケットに入れて持ち運ぶことができ、必要な時に１枚ずつ容易に取り出すことができるポケット収納式レジ袋パックを提供することができる。また、取り出した買物袋を簡単に広げて使用することができるポケット収納式レジ袋パックを提供することができる。
【図面の簡単な説明】
【００１１】
【図１】本考案の実施の形態によるポケット収納式レジ袋パック１００の一構成例を示した図であり、取り出し口１５を開封する前の状態が示された斜視図である。
【図２】取り出し口１５を開封した後の状態を示した斜視図である。
【図３】ポケット収納式レジ袋パック１００の平面図である。
【図４】ポケット収納式レジ袋パック１００の断面図（Ａ−Ａ断面図）である。
【図５】レジ袋２０の一構成例を示した平面図である。
【図６】レジ袋２０の使用時の様子を示した斜視図である。
【図７】レジ袋２０の折り畳み方法の一例を示した説明図である。
【考案を実施するための形態】
【００１２】
以下、本考案の実施の形態について、図面を参照しながら詳しく説明する。なお、本実施の形態における上下方向及び左右方向は、説明の便宜上のものであって、本考案に係る物品の使用時における向きや姿勢を限定する趣旨ではない。
【００１３】
図１〜図４は、本考案の実施の形態によるポケット収納式レジ袋パック１００の一構成例を示した図である。図１は、取り出し口１５を開封する前の状態を示した斜視図であり、図２は、取り出し口１５を開封した後の状態を示した斜視図である。また、図３は、図１のポケット収納式レジ袋パック１００の平面図であり、図４は、図３のＡ−Ａ切断線によりポケット収納式レジ袋パック１００を切断したときの断面を示した断面図（Ａ−Ａ断面図）である。
【００１４】
ポケット収納式レジ袋パック１００は、衣服のポケットに入る程度の大きさの収納パック１０内に２枚以上のレジ袋２０が折り畳んで収納されており、スリット状の取り出し口１５を介してレジ袋２０を１枚ずつ順に取り出すことができる。つまり、ポケットティッシュと同様の収納パック１０内に、２枚（２組）以上のティッシュに代えて２枚以上のレジ袋２０が収納されている。
【００１５】
ポケット収納式レジ袋パック１００は、ポケットサイズ、つまり、ポケットに入る程度のコンパクトな外形サイズからなるものであるが、その利用形態は、ポケットに入れて携行する場合のみに限定されず、例えば、鞄に入れて携行することもできることは言うまでもない。
【００１６】
収納パック１０は、柔軟性を有する薄いシート材を用いて形成された袋体である。例えば、矩形のシート材の対向する一対の辺を互いに接合して筒状体を形成した後、当該筒状体の両端の開口をそれぞれ封止することにより形成される。開口の封止は、各開口の縁部において対向する内面を圧着又は溶着することにより行われる。収納パック１０の素材には、例えば、ポリエチレンなどの合成樹脂からなるシート材を用いることができるが、バイオマスプラスティックなどのシート材を用いることもできる。
【００１７】
図１及び図３に示した通り、収納パック１０は、扁平形状を有し、平面視したときの主面１１は長方形であり、当該主面１１の一対の短辺に沿って封止部１２が形成されている。また、収納パック１０の主面１１には、取り出し口１５に対応するミシン目１４が形成されている。ミシン目１４は、一定の間隔をあけて断続的に配列させた切り込み部又は脆弱部の集合体であり、主面１１の短手方向の中央に配置され、主面１１の長手方向に沿って直線的に延びる。利用者が指でミシン目１４の両側を押し広げれば、収納パック１０の主面１１は、ミシン目１４に沿って容易に断裂し、直線状の取り出し口１５が形成される。
【００１８】
図２に示した通り、取り出し口１５は、主面１１に形成されたスリット状の開口であり、取り出し口１５を介して、収納パック１０内からレジ袋２０を取り出すことができる。ここでは、取り出し口１５が直線である場合の例について説明したが、曲線であってもよいし、レジ袋２０が容易に脱落しない程度の面積を有し、レジ袋２０の一部を露出させる開口であってもよい。
【００１９】
図４に示した通り、レジ袋２０は、収納パック１０の主面１１よりもやや小さい外形になるように折り畳まれ、主面１１と平行になるように収納パック１０内に配置される。収納パック１０内には、２枚以上のレジ袋２０が収納パック１０の厚さ方向に積み重なるように配置されている。図４には、５つのレジ袋２０を積み重ねて配置した例が示されている。
【００２０】
図５及び図６は、レジ袋２０の一構成例を示した図であり、図５は、レジ袋２０の平面図であり、図６は、レジ袋２０の使用時の様子を示した斜視図である。レジ袋２０は、柔軟性を有する薄いシート材を用いて形成された簡易買物袋であり、購入商品を収納するための袋本体２１と、前記袋本体２１と一体的に形成された一対の提げ紐２２とにより構成される。
【００２１】
袋本体２１は、平面視すれば矩形の平面形状を有するマチ付きの袋体であり、底部が閉じ、上部が開放されている。また、袋本体２１は、使用前はシート状である一方、購入商品などを入れることにより容積が拡大する。一対の提げ紐２２は、袋本体２１の開口縁部から上方に延びるように形成されている。
【００２２】
レジ袋２０は、例えば、袋本体２１に相当する矩形部２１'から提げ紐２２に相当する４つの短冊部２２'を突出させた形状のシート材が用いられ、矩形部の対向する一対の辺を互いに接合して筒状の袋本体２１を形成した後、袋本体２１の底部を熱溶着するとともに、短冊部の先端を互いに溶着することにより一対の提げ紐２２が形成される。
【００２３】
レジ袋２０の素材には、例えば、ポリエチレン、ポリオレフィンなどの合成樹脂からなるシート材を用いることができるが、バイオマスプラスティックなどのシート材を用いることもできる。また、シート材の厚さは０．０５ｍｍ以下であることが望ましい。
【００２４】
図７は、レジ袋２０の折り畳み方法の一例を示した説明図であり、図中の（ａ）〜（ｅ）には、折り畳み時におけるレジ袋２０の様子が時系列で示されている。はじめに、提げ紐２２を上方向に延ばし、レジ袋２０をシート状に広げた状態にする（図中の（ａ））。
【００２５】
次に、左右方向に延びる２以上の水平折曲線３１に沿って折り曲げることにより、蛇腹折りになるように上下方向を折り畳む（図中の（ｂ））。蛇腹折りは、隣接する折り曲げ線の一方が谷折り、他方が山折りとなるように、交互に逆方向に折り曲げていく折り畳み方法である。ここでは、等間隔に配置された３つの水平折曲線３１により、上下方向に４等分するようにレジ袋２０を折り曲げて、提げ紐２２が上面にくるように折り畳んでいる。
【００２６】
次に、上下方向に延びる２以上の垂直折曲線３２に沿って折り曲げることにより、蛇腹折りになるように左右方向を折り畳む（図中の（ｂ））。ここでは、等間隔に配置された３つの垂直折曲線３２により、左右方向に４等分するようにレジ袋２０を折り曲げ、提げ紐２２が内側に折り込まれるように折り畳まれる。つまり、折り畳み後に提げ紐２２が露出しないように、袋本体２１で挟み込んでいる。
【００２７】
このようにしてレジ袋２０が矩形に折り畳まれる。折り畳まれたレジ袋２０は、積み重ねるように収納パック１０内に収納される。提げ紐２２を袋本体２１の内側に挟み込むことにより、取り出し口１５を介して、レジ袋２０を取り出す際、１枚ずつスムーズに取り出すことができる。また、蛇腹折りで折り畳むことにより、使用時には、容易かつ迅速に展開させることができる。
【符号の説明】
【００２８】
１００  ポケット収納式レジ袋パック
１０    収納パック
１１    主面
１１    ミシン目
１２    封止部
１４    ミシン目
１５    取り出し口
２０    レジ袋
２１    袋本体
２１'  矩形部
２２    提げ紐
２２'  短冊部
３１    水平折曲線
３２    垂直折曲線
【図１】
0003230546.tif 000003
【図２】
0003230546.tif 000004
【図３】
0003230546.tif 000005
【図４】
0003230546.tif 000006
【図５】
0003230546.tif 000007
【図６】
0003230546.tif 000008
【図７】
0003230546.tif 000009